(57)【要約】【課題】  意図しない運賃支払を防ぐことができる改札機、改札方法、及び券処理機を提供する。【解決手段】  前記携帯可能電子装置に記憶されている情報を無線通信により読み取り、前記携帯可能電子装置から読み取った情報に制限情報が含まれているか否か判定する。前記制限情報が含まれていると判定した場合、前記携帯可能電子装置に記憶されている情報を前記制限情報により制限して利用者の通行の可否を判定する。【選択図】      図２
2008197846.tif 000002
【特許請求の範囲】
【請求項１】
利用者が所持している携帯可能電子装置に記憶されている情報に基づいて改札処理を行なう改札機であって、
前記携帯可能電子装置に記憶されている情報を無線通信により読み取る読取手段と、
前記読取手段により前記携帯可能電子装置から読み取った情報に制限情報が含まれているか否か判定する第１の判定手段と、
前記第１の判定手段により前記制限情報が含まれていると判定した場合、前記携帯可能電子装置に記憶されている情報を前記制限情報により制限して利用者の通行の可否を判定する第２の判定手段と、
を具備した改札機。
【請求項２】
前記第２の判定手段により利用者の通行を否と判定した場合、前記携帯可能電子装置に記憶されている情報を前記制限情報により制限した情報と前記携帯可能電子装置とは別の携帯可能電子装置に記憶されている情報とに基づいて利用者の通行の可否を判定する第３の判定手段をさらに具備した前記請求項１記載の改札機。
【請求項３】
前記制限情報は、当該制限情報を記憶している携帯可能電子装置の利用を禁止する乗車区間の情報であることを特徴とする前記請求項１記載の改札機。
【請求項４】
前記制限情報は、当該制限情報を記憶している携帯可能電子装置の利用を禁止する期間の情報であることを特徴とする前記請求項１記載の改札機。
【請求項５】
利用者が所持している第１の携帯可能電子装置と第２の携帯可能電子装置とに記憶されている情報に基づいて改札処理を行なう改札機であって、
携帯可能電子装置に記憶されている情報を無線通信により読み取る読取手段と、
前記読取手段により第１の携帯可能電子装置から読み取った情報に別の第２の携帯可能電子装置に記憶されている定期券情報に対応付けた制限情報が含まれているか否か判定する第１の判定手段と、
前記第１の判定手段により前記第１の携帯可能電子装置から読み取った情報に前記制限情報が含まれていると判定した場合、前記通信領域に存在する第２の携帯可能電子装置に記憶されている情報を前記読取手段により読み取る制御手段と、
前記前記制御手段により前記読取手段で前記第２の携帯可能電子装置から読み取った情報と前記第１の携帯可能電子装置から読み取った情報を前記制限情報により制限した情報とに基づいて利用者の通行の可否を判定する第２の判定手段と、
を具備した改札機。
【請求項６】
前記第１の携帯可能電子装置は、少なくとも精算に利用可能な金額情報を記憶していることを特徴とする前記請求項５記載の改札機。
【請求項７】
前記第２の携帯可能電子装置は、少なくとも定期券情報を記憶していることを特徴とする前記請求項５記載の改札機。
【請求項８】
利用者が所持している携帯可能電子装置に記憶されている情報に基づいて改札処理を行なう改札方法であって、
前記携帯可能電子装置に記憶されている情報を無線通信により読み取り、
前記携帯可能電子装置から読み取った情報に制限情報が含まれているか否か判定し、
前記制限情報が含まれていると判定した場合、前記携帯可能電子装置に記憶されている情報を前記制限情報により制限して利用者の通行の可否を判定する、
ことを特徴とする改札方法。
【請求項９】
利用者が所持している第１の携帯可能電子装置と第２の携帯可能電子装置とに記憶されている情報に基づいて改札処理を行なう改札方法であって、
携帯可能電子装置に記憶されている情報を無線通信により読み取り、
第１の携帯可能電子装置から読み取った情報に別の第２の携帯可能電子装置に記憶されている定期券情報に対応付けた制限情報が含まれているか否か判定し、
前記第１の携帯可能電子装置から読み取った情報に前記制限情報が含まれていると判定した場合、前記通信領域に存在する第２の携帯可能電子装置に記憶されている情報を読み取り、
前記第２の携帯可能電子装置から読み取った情報と前記第１の携帯可能電子装置から読み取った情報を前記制限情報により制限した情報とに基づいて利用者の通行の可否を判定する、
ことを特徴とする改札方法。
【請求項１０】
改札機において利用者の通行の可否を判定する為の情報が記憶される携帯可能電子装置を処理する券処理機であって、
前記携帯可能電子装置に記憶されている情報を制限する制限情報を入力させるための操作手段と、
前記操作手段により入力された制限情報を前記携帯可能電子装置に無線通信により書き込む書込手段と、
を具備した券処理機。
【請求項１１】
改札機において利用者の通行の可否を判定する為の情報が記憶される携帯可能電子装置を処理する券処理機であって、
第１の携帯可能電子装置に記憶されている定期券情報を無線通信により読み取る読取手段と、
前記読取手段により読み取った定期券情報に対応付けた制限情報を前記通信領域に存在する第２の携帯可能電子装置に無線通信により書き込む書込手段と、
を具備した券処理機。
【請求項１２】
前記制限情報とは、当該携帯可能電子装置の利用を禁止する乗車区間の情報であることを特徴とする前記請求項１０または１１に記載の券処理機。
【請求項１３】
前記制限情報とは、当該携帯可能電子装置の利用を禁止する期間の情報であることを特徴とする前記請求項１０または１１に記載の券処理機。
【発明の詳細な説明】
【技術分野】
【０００１】
本発明は、例えば、利用者の所持する携帯可能電子装置に対して改札処理、及び各種設定を行なう改札機、改札方法、及び券処理機に関する。
【背景技術】
【０００２】
鉄道各社の駅には、各種の駅務処理を行なう駅務機器が設置されている。このような駅務機器では、入場券、定期券、乗車券、ストアードフェアカード（ＳＦカード）などの情報記憶媒体に対して種々の処理を行なうようになっている。
【０００３】
ところで、近年、乗車券である磁気カードの発行枚数が膨大な数となっている。利用者が、カードを紛失した場合、紛失したカードを拾得した第３者が使用できないようにする為に、紛失したカードの識別情報を記憶しておき、記憶されている識別情報と一致するカードに対して処理を行なわないようにしたカード照合方法がある（例えば、特許文献１参照）。
【０００４】
また、近年、情報記憶媒体として、駅務機器と無線でデータの送受信を行なうことにより、処理を受けることができるＩＣ（Ｉｎｔｅｇｒａｔｅｄ  Ｃｉｒｃｕｉｔ）を有した非接触型ＩＣカードなどが普及しつつある。ＩＣを有した情報記憶媒体には、ＳＦデータ（残額情報）、および、定期券情報などを記録することが出来る。この情報記憶媒体に記録されているＳＦデータ、若しくは、定期券情報に基づいて、改札処理などが行われる。
【０００５】
このような、ＩＣカードを用いた改札処理では、利用者が複数枚のＩＣカードを所持している場合、処理が行われないようになっている。しかし、ＩＣカードとＩＣカードの間に間隔があいている状態で改札処理を受けようとした場合、改札機は先に読み取ったＩＣカードに対して改札処理を行なう。この為、例えば、利用者が定期券としてのＩＣカード（以下ＩＣ定期券と称する）とＳＦカードとしてのＩＣカード（以下ＩＣＳＦカードと称する）とを有しており、ＩＣ定期券の定期券情報が有効であっても、改札機がＩＣＳＦカードを先に読み取ってしまった場合、改札機はＩＣＳＦカードに対して改札処理を行なう。その為、利用者は、余分な運賃を支払ってしまう場合があるという問題がある。
【特許文献１】特開平０６−８９３７３号公報
【発明の開示】
【発明が解決しようとする課題】
【０００６】
本発明の一形態は、上記した問題点を解決するものであり、意図しない運賃支払を防ぐことができる改札機、改札方法、及び券処理機を提供することにある。
【課題を解決するための手段】
【０００７】
本発明の一実施形態としての改札機は、利用者が所持している携帯可能電子装置に記憶されている情報に基づいて改札処理を行なうものであって、前記携帯可能電子装置に記憶されている情報を無線通信により読み取る読取手段と、前記読取手段により前記携帯可能電子装置から読み取った情報に制限情報が含まれているか否か判定する第１の判定手段と、前記第１の判定手段により前記制限情報が含まれていると判定した場合、前記携帯可能電子装置に記憶されている情報を前記制限情報により制限して利用者の通行の可否を判定する第２の判定手段とを具備する。
【０００８】
また、本発明の一実施形態としての改札機は、利用者が所持している第１の携帯可能電子装置と第２の携帯可能電子装置とに記憶されている情報に基づいて改札処理を行なうものであって、携帯可能電子装置に記憶されている情報を無線通信により読み取る読取手段と、前記読取手段により第１の携帯可能電子装置から読み取った情報に別の第２の携帯可能電子装置に記憶されている定期券情報に対応付けた制限情報が含まれているか否か判定する第１の判定手段と、前記第１の判定手段により前記第１の携帯可能電子装置から読み取った情報に前記制限情報が含まれていると判定した場合、前記通信領域に存在する第２の携帯可能電子装置に記憶されている情報を前記読取手段により読み取る制御手段と、前記前記制御手段により前記読取手段で前記第２の携帯可能電子装置から読み取った情報と前記第１の携帯可能電子装置から読み取った情報を前記制限情報により制限した情報とに基づいて利用者の通行の可否を判定する第２の判定手段とを具備する。
【０００９】
また、本発明の一実施形態としての改札方法は、利用者が所持している携帯可能電子装置に記憶されている情報に基づいて改札処理を行なう方法であって、前記携帯可能電子装置に記憶されている情報を無線通信により読み取り、前記携帯可能電子装置から読み取った情報に制限情報が含まれているか否か判定し、前記制限情報が含まれていると判定した場合、前記携帯可能電子装置に記憶されている情報を前記制限情報により制限して利用者の通行の可否を判定する。
【００１０】
また、本発明の一実施形態としての改札方法は、利用者が所持している第１の携帯可能電子装置と第２の携帯可能電子装置とに記憶されている情報に基づいて改札処理を行なう方法であって、携帯可能電子装置に記憶されている情報を無線通信により読み取り、第１の携帯可能電子装置から読み取った情報に別の第２の携帯可能電子装置に記憶されている定期券情報に対応付けた制限情報が含まれているか否か判定し、前記第１の携帯可能電子装置から読み取った情報に前記制限情報が含まれていると判定した場合、前記通信領域に存在する第２の携帯可能電子装置に記憶されている情報を読み取り、前記第２の携帯可能電子装置から読み取った情報と前記第１の携帯可能電子装置から読み取った情報を前記制限情報により制限した情報とに基づいて利用者の通行の可否を判定する。
【００１１】
また、本発明の一実施形態としての券処理機は、改札機において利用者の通行の可否を判定する為の情報が記憶される携帯可能電子装置を処理するものであって、前記携帯可能電子装置に記憶されている情報を制限する制限情報を入力させるための操作手段と、前記操作手段により入力された制限情報を前記携帯可能電子装置に無線通信により書き込む書込手段とを具備する。
【００１２】
また、本発明の一実施形態としての券処理機は、改札機において利用者の通行の可否を判定する為の情報が記憶される携帯可能電子装置を処理するものであって、第１の携帯可能電子装置に記憶されている定期券情報を無線通信により読み取る読取手段と、前記読取手段により読み取った定期券情報に対応付けた制限情報を前記通信領域に存在する第２の携帯可能電子装置に無線通信により書き込む書込手段とを具備する。
【発明の効果】
【００１３】
この発明の一形態によれば、意図しない運賃支払を防ぐことができる改札機、改札方法、及び券処理機を提供することができる。
【発明を実施するための最良の形態】
【００１４】
まず、この発明の一実施形態ついて図面を参照して説明する。  
図１は、一実施形態に係る種々の駅務機器から構成される駅務システムの構成例を示す図である。上記駅務システムは、鉄道などの交通機関における種々の駅務処理を行なう種々の駅務機器から構成されるシステムである。上記駅務システムを構成する各駅務機器は、携帯可能電子装置としてのＩＣカードを処理する機能を有し、上記ＩＣカードの処理装置として機能するものである。上記駅務システムでは、利用者が所持する携帯可能電子装置に記憶されている定期券情報、ＳＦデータなどの情報に基づいて、鉄道などの交通機関の利用を可能とするものである。なお、携帯可能電子装置としては、携帯電話等の携帯端末機器を用いるようにしてもよい。
【００１５】
上記駅務システムは、図１に示すように、改札機１、ホストコンピュータ３、券売機４、及び精算機５、から構成されている。上記改札機１、券売機４及び精算機５などの駅務機器は、携帯可能電子装置としてのＩＣカード２（２Ａ、２Ｂ）を処理する機能を有し、精算処理装置として機能するものである。
【００１６】
上記ＩＣカード２Ａは内部メモリ２Ａａを有している。上記ＩＣカード２Ｂは内部メモリ２Ｂｂを有している。上記ＩＣカード２Ａの内部メモリ２Ａａには、残額情報、定期券情報、及び乗降履歴などが記憶されている。上記内部メモリ２Ａａを有したＩＣカード２Ａは、ＩＣ定期券として機能するものとする。また、上記ＩＣカード２Ｂの内部メモリ２Ｂｂには、残額情報、制限情報、及び乗降履歴などが記憶されている。上記内部メモリ２Ｂｂを有したＩＣカード２Ｂは、ＩＣＳＦカードとして機能するものとする。
【００１７】
上記残額情報は、料金の精算に利用可能である金額情報である。上記定期券情報は、当該ＩＣカード２Ａが定期券として有効な区間、及び、期間を示す情報である。上記制限情報は、当該ＩＣカード２Ｂの残額情報を用いて料金の精算をすることが制限される区間、及び、期間を示す情報である。即ち、上記ＩＣカード２をＩＣＳＦカードとして利用することを制限するための情報である。上記乗降履歴は、改札を受ける際に記録される乗車と降車の履歴を示す情報である。
【００１８】
上記改札機１は、駅の改札口などに設置され、改札口で利用者の所持する上記ＩＣカード２Ａ、又は２Ｂに基づく改札処理を行なうものである。上記券売機４は、各駅などに設置され、利用者から金額を受領して、ＳＦカードとしての上記ＩＣカード２Ｂを新規に発券したり、上記ＩＣカード２Ｂに記録されている情報を更新したりするものである。上記精算機５は、各駅の構内に設置され、乗り越しなどの利用者に対する乗車料金の精算処理を行なうものである。
【００１９】
上記ホストコンピュータ３は、電鉄会社の管理センタなどに設置されている。上記ホストコンピュータ３は、発行済みの定期券情報に関する情報を管理したり、当該駅務システム内における各駅務機器の運用状況や運用データなどの管理を行なう機能を有している。
【００２０】
なお、各駅務機器は、駅（駅Ｂ、駅Ｃ、駅Ｄ、駅Ｅ、駅Ｆ・・・）にも設置され、駅務システム全体を構成している。このような駅務システムでは、各駅において、利用者に対する駅構内への入場あるいは駅構内からの出場などに関する業務を各駅務機器を用いて実施している。
【００２１】
次に、上記改札機１の構成について詳細に説明する。  
図２は、図１に示す改札機１の構成例を示すブロック図である。図２に示すように、上記改札機１は、制御部１１、メモリ１３、通信部１４、ＩＣカード処理部１５、通行制御部１８、及び表示部１９などを有している。
【００２２】
上記制御部１１は、上記改札機１全体の制御を司るものである。上記制御部１１は、ＣＰＵ、上記ＣＰＵの作業領域として機能するバッファメモリ、上記ＣＰＵが実行する種々のプログラムや制御データなどが記憶されているプログラムメモリなどから構成される。上記制御部１１では、ＣＰＵがプログラムを実行することにより種々の機能を実現している。上記メモリ１３は、精算処理に必要な運賃情報などを記憶している。上記通信部１４は、図１に示すホストコンピュータ３とデータの通信を行なう為の外部通信ユニットである。
【００２３】
上記ＩＣカード処理部１５は、利用者が所持する携帯可能電子装置としてのＩＣカード２を処理するものである。上記ＩＣカード処理部１５は、送受信部１６を有している。上記送受信部１６は、例えば、アンテナなどで構成され、上記ＩＣカード２との電波の送受信を行なうためのものである。上記送受信部１６は、アンテナからの電波が届く範囲である送受信可能エリア１７内に存在するＩＣカードを検知し、通信を行なう。即ち、上記ＩＣカード処理部１５は、上記制御部１１からの指示に基づいて、上記送受信部１６を介して上記送受信可能エリア１７内に存在する上記ＩＣカード２の記憶内容を読み取ったり、データを書き込んだりする。
【００２４】
上記通行制御部１８は、利用者の通行を制御するものである。上記通行制御部１８は、例えば、利用者の通行を阻止するドア（図示せず）、このドアを制御するドア開閉機構（図示せず）などから構成されている。また、上記改札機１は、当該改札機１内を通過する人を検知するセンサ（図示せず）を有している。上記通行制御部１８は、上記センサの検知結果に基づいてドアの開閉のタイミングを制御している。上記表示部１９は、利用者への案内表示などを表示する表示装置などから構成されている。
【００２５】
次に上記制御部１１が有している種々の機能について説明する。  
上記制御部１１は、図２に示すように、読取処理部１１１、判定部１１２及び書換処理部１１３などの機能を有している。  
上記読取処理部１１１は、利用者が提示する上記ＩＣカード２に記憶されている情報を読み取る処理を行なう。たとえば、上記読取処理部１１１は、上記ＩＣカード２に記憶されている残額情報、定期券情報、制限情報、及び、乗降車履歴などを上記ＩＣカード処理部１５により読み取る処理を行なう。また、上記読取処理部１１１は、上記送受信部１６により上記送受信可能エリア１７内にＩＣカードが何枚存在するかを判断する。
【００２６】
上記判定部１１２は、上記ＩＣカード２から読み取った情報に基づいて利用者の通行可否を判定する処理を行なう。上記判定部１１２では、上記ＩＣカード２から読み取った情報に基づいて、定期券情報による改札処理である定期券処理、もしくは、残額情報による改札処理である精算処理を行ない、利用者の通行の可否を判定する。
【００２７】
上記判定部１１２は、定期券情報確認部１２１、制限情報確認部１２２、精算額算出部１２３などを有している。上記定期券情報確認部１２１は、上記読取処理部１１１により上記ＩＣカード２から読み取った定期券情報を参照し、定期券処理が可能であるか否かを判定する。上記制限情報確認部１２２は、上記定期券情報確認部１２１により定期券処理が不可であると判定した場合、上記読取処理部１１１により上記ＩＣカード２から読み取った制限情報を参照し、精算処理の実行が許可されているか否かを判定する。上記精算額算出部１２３は、上記読取処理部１１１により上記ＩＣカード２から読み取った乗降車履歴、定期券情報、および、上記メモリ１３に記憶されている運賃情報などに基づいて精算額を算出する。ここで、読み取った上記ＩＣカード２が最初に読み取ったＩＣカードでなければ、上記精算額算出部１２３は、それ以前に読み取ったＩＣカードの乗降車履歴、定期券情報も考慮し、最安値となる精算額を算出する。
【００２８】
上記書換処理部１１３は、上記ＩＣカード２に記憶されている情報を書き換える処理を行なう。つまり、上記書換処理部１１３は、上記精算額算出部１２３により算出した算出額に基づいて、上記ＩＣカード２に記憶されている残額情報の金額を上記ＩＣカード処理部１５により書き換える処理を行なう。ここで、読み取った上記ＩＣカードに記憶されている残額情報の金額が精算額に満たない場合、上記書換処理部１１３は、それ以前に読み取ったＩＣカードの残額情報の金額も考慮し、書き換え処理を行う。
【００２９】
次に、上記券売機４の構成について詳細に説明する。  
図３は、図１に示す上記券売機４の構成例を概略的に示すブロック図である。  
図３に示すように、上記券売機４は、制御部４１、通信部４３、ＩＣリーダライタ４４、現金処理部４６、発券機構部４７、メモリ４８、表示部４９、操作部５０などを有している。
【００３０】
上記制御部４１は、上記券売機４全体の制御を司るものである。上記制御部４１は、ＣＰＵ、上記ＣＰＵの作業領域として機能するバッファメモリ、上記ＣＰＵが実行する種々のプログラムや制御データなどが記憶されているプログラムメモリなどから構成される。上記制御部４１では、ＣＰＵがプログラムを実行することにより種々の機能を実現している。上記通信部４３は、図１に示すホストコンピュータ３とデータの通信を行なう為の外部通信ユニットである。
【００３１】
上記ＩＣリーダライタ４４は、利用者が所持する携帯可能電子装置としてのＩＣカード２に対して処理を行なうものである。上記ＩＣリーダライタ４４は、カードスロット（図示せず）を有しており、上記カードスロット内にさらに送受信部４５を有している。上記送受信部４５は、例えば、アンテナなどで構成され、上記ＩＣカード２との電波の送受信を行なうためのものである。上記カードスロットに上記ＩＣカード２が挿入されると、上記送受信部４５は、挿入された上記ＩＣカード２に対して無線通信を行なう。即ち、上記ＩＣリーダライタ４４は、上記制御部４１からの指示に基づいて、上記送受信部４５を介して、上記カードスロット内のＩＣカード２の記憶内容を読み取ったり、データを書き込んだりする。
【００３２】
上記現金処理部４６は、当該券売機４に投入された紙幣、もしくは、硬貨の種類を判別し、投入されている貨幣の金額の総額を算出するものである。上記発券機構部４７は、利用者による発券操作に基づいて、乗車券などを発券するものである。上記メモリ４８は、運賃情報、および、上記制御部４１で用いるプログラム、および、データなどを記憶している。例えば、上記メモリ４８は、制限情報として上記ＩＣカード２に書き込むことができる路線の駅の一覧と、日付の一覧とを記憶している。
【００３３】
上記表示部４９は、各種の処理結果、購入することができる乗車券の一覧、および、利用者への案内表示などを表示する表示装置などから構成されている。上記操作部５０は、利用者による操作入力を受け付けるものである。ここでは、上記表示部４９、および、上記操作部５０は、タッチパネル内蔵の表示装置により構成されるものとする。
【００３４】
また、上記制御部４１は、メモリ４８などに記憶されているプログラムを実行することにより、制限情報設定部４２として機能する。上記制限情報設定部４２は、上記ＩＣカード２に対して制限情報を設定する。制限情報は、当該ＩＣカード２の残額情報を用いて料金の精算をすることが制限される区間、及び、期間を示す情報である。即ち、当該ＩＣカード２をＩＣＳＦカードとして利用することを制限するための情報である。
【００３５】
上記制限情報設定部４２は、上記操作部５０により入力された制限情報を、ＩＣカード２Ｂの内部メモリ２Ｂｂに上記ＩＣリーダライタ４４により書き込むことができる。また、上記制限情報設定部４２は、上記ＩＣカード２Ａの内部メモリ２Ａａに記憶されている定期券情報のうち有効区間と有効期間の情報とを上記ＩＣリーダライタ４４により読み出し、上記ＩＣカード２Ｂの内部メモリ２Ｂｂに制限区間と制限期間の情報としてそれぞれ書き込むことができる。
【００３６】
次に、上記券売機４での制限情報の設定処理について詳細に説明する。  
図４は、図３に示す券売機４において実行される制限情報の設定処理を説明するフローチャートである。なお、ここでは、上記内部メモリ２Ａａを有したＩＣカード２ＡをＩＣ定期券、上記内部メモリ２Ｂｂを有したＩＣカード２ＢをＩＣＳＦカードと想定するものとする。
【００３７】
まず、上記制御部４１は、上記券売機４の表示部４９の表示画面にメニュー画面を表示する。例えば、メニュー画面には、購入できる乗車券の一覧の他に、ＳＦカード購入、他社線への乗り継ぎ、ＩＣＳＦカードへの補填、制限情報の変更などのメニューボタンが、タッチパネルにより選択可能な状態で表示されている。メニュー画面を表示すると、上記制御部４１は、利用者による操作入力を待つ待機状態となる。ここで、利用者により操作が入力されると、上記制御部４１は、選択されたメニューボタンが制限情報の変更であるかどうか判定する（ステップＳ１１）。
【００３８】
上記制御部４１は、利用者により制限情報の変更のメニューボタンが選択されたと判定すると（ステップＳ１１、ＹＥＳ）、メモリ４８より制限情報の設定のためのプログラムを実行し、制限情報の設定方法の選択画面を上記表示部４９に表示させる（ステップＳ１２）。上記制御部４１は、制限情報の設定方法の選択画面により、利用者に区間及び期間を入力させることにより制限情報を設定するか、利用者が所持している定期券の有効区間及び有効期間の情報を制限情報として設定するかを選択させる。
【００３９】
利用者により制限情報の設定方法の選択の操作入力がされると、上記制御部４１は、選択された設定方法が入力による設定方法であるか否か判定する（ステップＳ１３）。上記制御部４１は、入力による設定方法が選択されたと判定した場合（ステップＳ１３、ＹＥＳ）、利用者に制限情報を設定するＩＣＳＦカードの挿入を促すＩＣＳＦカード挿入画面を上記表示部４９に表示し（ステップＳ１４）、ＩＣＳＦカードの挿入を待つ待機状態となる（ステップＳ１５）。
【００４０】
上記制御部４１は、ＩＣリーダライタ４４によりＩＣＳＦカードを検知すると（ステップＳ１５、ＹＥＳ）、制限情報の入力画面を上記表示部４９に表示する（ステップＳ１６）。上記制御部４１は、制限情報の入力画面に、路線の駅の一覧と、日付の一覧とを、それぞれボタンとして、タッチパネルにより選択可能な状態で表示させ、利用者による入力を待つ待機状態となる（ステップＳ１７）。
【００４１】
上記制御部４１は、利用者に各ボタンをタッチさせることにより、当該ＩＣＳＦカードを使用することを制限する駅と、制限する期間とを入力させる。上記制御部４１は、利用者による制限区間及び期間の入力を検知すると（ステップＳ１７、ＹＥＳ）、入力された制限情報の内容と確認ボタンを制限情報確認画面として上記表示部４９に表示し（ステップＳ１８）、利用者による確認ボタンの操作を待つ待機状態となる（ステップＳ１９）。上記制御部４１は、利用者により確認ボタンが操作されると（ステップＳ１９、ＹＥＳ）、入力された制限情報を当該ＩＣＳＦカードに上記ＩＣリーダライタにより書き込み（ステップＳ２０）、当該ＩＣＳＦカードを上記送受信部４５のカードスロットより排出し、処理を終了する。
【００４２】
また、ステップＳ１３において、入力による設定方法ではなく、定期券情報から制限情報を設定する方法が選択されたと判定した場合（ステップＳ１３、ＮＯ）、上記制御部４１は、利用者にＩＣ定期券の挿入を促すＩＣ定期券挿入画面を上記表示部４９に表示し（ステップＳ２１）、ＩＣ定期券の挿入を待つ待機状態となる（ステップＳ２２）。
【００４３】
上記制御部４１は、ＩＣリーダライタ４４によりＩＣ定期券を検知すると（ステップＳ２２、ＹＥＳ）、上記ＩＣ定期券から定期券情報を読み取る（ステップＳ２３）。上記制御部４１は、上記ＩＣ定期券から定期券情報を読み取ると、読み取った定期券情報の内容と確認ボタンを制限情報確認画面として上記表示部４９に表示し（ステップＳ２４）、利用者による確認ボタンの操作を待つ待機状態となる（ステップＳ２５）。
【００４４】
上記制御部４１は、利用者により確認ボタンが操作されると（ステップＳ２５、ＹＥＳ）、上記送受信部４５に挿入されているＩＣ定期券を排出し、利用者に制限情報を設定するＩＣＳＦカードの挿入を促すＩＣＳＦカード挿入画面を上記表示部４９に表示し（ステップＳ２６）、ＩＣＳＦカードの挿入を待つ待機状態となる（ステップＳ２７）。
【００４５】
上記制御部４１は、ＩＣリーダライタ４４によりＩＣＳＦカードを検知すると（ステップＳ２７、ＹＥＳ）、上記ＩＣ定期券より読み取った定期券情報を制限情報として、挿入された上記ＩＣＳＦカードに上記ＩＣリーダライタにより書き込み（ステップＳ２０）、当該ＩＣＳＦカードを上記送受信部４５のカードスロットより排出し、処理を終了する。
【００４６】
上述したように、本発明の一実施形態に係る券売機によると、利用者が当該券売機を操作し、制限情報を入力することにより、上記ＩＣＳＦカードに対して制限情報を書き込むことができる。また、利用者が所持するＩＣ定期券の定期券情報を読み取り、ＩＣＳＦカードに読み取った定期券情報を制限情報として書き込むことができる。なお、この発明は、上記実施形態そのままに限定されるものではない。上記実施形態では、券売機で制限情報を設定する構成としたが、精算機に適用してもよい。また、ＩＣＳＦカードに制限情報を書き込む構成としたが、ＳＦデータを有するＩＣ定期券に制限情報を書き込む構成でもよい。
【００４７】
次に、ＩＣカード２の構成について詳細に説明する。  
図５、及び図６は、本実施形態に係るＩＣカードの内部メモリのデータフォーマットを説明する為の説明図である。図５は、ＩＣ定期券の内部メモリ２Ａａの構成を示す図である。図６は、ＩＣＳＦカードの内部メモリ２Ｂｂの構成を示す図である。
【００４８】
上記内部メモリ２Ａａ、及び２Ｂｂは、例えば、ＥＥＰＲＯＭ、あるいは、フラッシュＲＯＭなどのデータの書き込み及び書き換えが可能な不揮発性のメモリにより構成される。上記内部メモリ２Ａａ、及び２Ｂｂには、上記ＩＣカード２の運用用途に応じてプログラムファイルやデータファイルなどが定義され、それらのファイルにデータが書き込まれる。ここでは、上記内部メモリ２Ａａ、及び２Ｂｂには、当該ＩＣカード２を用いて駅構内への入場及び駅構内からの出場などを行なうための乗車券として利用するための種々の情報が記憶される。
【００４９】
次に、上記ＩＣカード２Ａの内部メモリ２Ａａ、及び、上記ＩＣカードＢの内部メモリ２Ｂｂに記憶されている情報について説明する。  
上記内部メモリ２Ａａは、図５に示すように、残額情報、定期券情報、及び、乗降車履歴などを記憶している。また、上記内部メモリ２Ｂｂは、図６に示すように、残額情報、制限情報、及び、乗降車履歴などを記憶している。
【００５０】
上記残額情報は、料金の精算に利用可能である金額情報である。上記残額情報としての金額情報は、例えば、図１に示す券売機４に上記ＩＣカード２を挿入し、金銭を支払うことにより、支払った金額が加算されるようになっている。
【００５１】
上記定期券情報は、有効区間および有効期間の情報などを含んでいる。上記有効区間は、上記ＩＣカード２Ａが定期券としての利用が有効な区間を示す情報である。上記有効区間は、さらに乗り継ぎの際の経由の情報を含んでいる。上記有効期間は、上記ＩＣカード２Ａが上記有効区間において定期券としての利用が有効な期間を示す情報である。
【００５２】
上記制限情報としては、制限区間および制限期間の情報などを含んでいる。上記制限区間は、上記ＩＣカード２Ｂの残額情報を用いて料金の精算をすることが制限される区間を示す情報である。上記制限区間は、さらに乗り継ぎの際の経由の情報を含んでいる。上記制限期間は、上記ＩＣカード２Ｂの残額情報を用いて料金の精算をすることが制限される期間を示す情報である。
【００５３】
上記乗降車履歴は、当該ＩＣカード２を用いた入場情報および出場情報である。入場情報は、入場駅名、入場時刻あるいはＳＦ機能による入場時の引去額などの当該ＩＣカード２を用いた駅構内への入場に関する情報である。また、出場情報は、出場駅名、出場時刻あるいはＳＦ機能による出場時の引去額などの当該ＩＣカード２を用いた駅構内からの出場に関する情報である。たとえば、当該ＩＣカード２を用いた駅構内から出場する場合、上記改札機１では、入場情報、定期券情報、残額情報などに基づいて出場の可否が判定される。
【００５４】
次に、上記改札機１での改札処理について詳細に説明する。  
図７は、図２に示す改札機１において実行される改札処理を説明するフローチャートである。
【００５５】
まず、利用者が上記ＩＣカード２を上記改札機１の送受信部１６に提示すると、上記改札機１の制御部１１は、上記読取処理部１１１により上記送受信部１６の送受信可能エリア１７内に存在するＩＣカードのうち、最初にアクセスしたＩＣカード２に記憶されている残額情報、定期券情報、制限情報、乗降車履歴などの情報を読み取る（ステップＳ３１）。
【００５６】
１枚目の上記ＩＣカード２に記憶されている情報を読み取ると、上記改札機１の制御部１１は、上記送受信部１６により上記送受信可能エリア１７内に他にＩＣカードが存在するか否かを判定する（ステップＳ３２）。即ち、読み取ったＩＣカードで最後か否か判定する。なお、上記制御部１１は、所定の時間内に他のＩＣカードから応答がなかった場合に、上記送受信可能エリア１７内に他にＩＣカードが存在しないと判定する。さらに、上記制御部１１は、上記改札機１に設置されているセンサの検知結果に基づいて、読み取った上記ＩＣカード２が当該利用者が提示しているＩＣカードか否かを判断するようにしてもよい。
【００５７】
上記制御部１１は、ＩＣカードが他に存在すると判定した場合（ステップＳ３２、ＮＯ）、上記定期券情報確認部１２１により定期券情報による出場が可能か否かを判定する（ステップＳ３３）。すなわち、上記判定部１１２は、現在の日時が、上記ＩＣカード２から読み取った定期券情報の有効期間内であり、且つ、メモリ１３に記憶されている路線情報などにより、当該駅（出場駅）が上記ＩＣカード２から読み取った定期券情報の有効区間内であるかどうか判定する。
【００５８】
定期券情報による出場が可能であると判定した場合（ステップＳ３３、ＹＥＳ）、上記判定部１１２は、上記ＩＣカード２の定期券情報により当該利用者の通行を許可する定期券処理を行なう（ステップＳ３４）。この場合、上記判定部１１２による通行を許可する旨の判定結果に基づいて、上記制御部１１は、当該利用者が改札口から出場できるように、上記改札機１の通行制御部１８によりドア（図示しない）を開放する。この際、上記制御部１１は、定期券情報によって出場可能である旨などの通行許可を示す案内を上記表示部１９に表示する。
【００５９】
上記ステップＳ３３において、定期券情報による出場が不可であると判定した場合（ステップＳ３３、ＮＯ）、上記判定部１１２は、上記制限情報確認部１２２により、ＳＦカード機能による精算処理の実行を制限する利用制限が設定されているか否かを判定する（ステップＳ３５）。すなわち、上記判定部１１２は、現在の日時が、上記ＩＣカード２から読み取った制限情報の制限期間内であるか否か、あるいは、メモリ１３に記憶されている路線情報などにより、当該駅（出場駅）が上記ＩＣカード２から読み取った制限情報の制限区間内であるか否かを判定する。
【００６０】
利用制限が設定されていないと判定した場合（ステップＳ３５、ＮＯ）、上記判定部１１２は、上記精算額算出部１２３によりＳＦカード機能で出場するために必要な精算額を算出する処理を行なう。上記精算額算出部１２３により精算額が算出されると、上記判定部１１２は、上記ＩＣカード２から読み取った残額情報に基づく精算処理が可能であるか否かを判定する（ステップＳ３６）。即ち、上記判定部１１２は、上記ＩＣカード２から読み取った残額情報の金額が上記精算額算出部１２３により算出した精算額未満であるか否かを判定する。
【００６１】
上記ＩＣカード２から読み取った残額情報の金額が精算額以上であると判定した場合（ステップＳ３６、ＹＥＳ）、上記改札機１の制御部１１は、上記書換処理部１１３により上記ＩＣカード２の残額情報の金額を元の金額から精算額を差し引いた金額に書き換え、当該利用者の出場を許可する精算処理を行なう（ステップＳ３７）。この場合、上記制御部１１は、当該利用者が改札口から出場できるように、上記改札機１の通行制御部１８によりドア（図示しない）を開放する。この際、上記制御部１１は、上記表示部１９により書換え後の残額情報の金額、通行許可を示す表示などの案内を表示する。
【００６２】
また、ステップＳ３５において利用制限が設定されていると判定した場合（ステップＳ３５、ＮＯ）、若しくは、上記ステップＳ３６において、精算処理が不可能であると判定した場合（ステップＳ３６、ＮＯ）、上記ステップＳ３１にループする。即ち、上記制御部１１は、上記読取処理部１１１により上記送受信部１６の送受信可能エリア１７内に存在するＩＣカードのうち、まだ読み取っていないＩＣカード２に記憶されている残額情報、定期券情報、制限情報、乗降車履歴などの情報を読み取る（ステップＳ３１）。
【００６３】
上記ステップＳ３２において、上記送受信可能エリア１７内に他にＩＣカードが存在しないと判定した場合（ステップＳ３２、ＮＯ）、上記制御部１１は、上記定期券情報確認部１２１により定期券情報による出場が可能か否かを判定する（ステップＳ３８）。定期券情報による出場が可能であると判定した場合（ステップＳ３８、ＹＥＳ）、上記判定部１１２は、上記ＩＣカード２の定期券情報により当該利用者の通行を許可する定期券処理を行なう（ステップＳ３９）。
【００６４】
上記ステップＳ３８において、定期券情報による出場が不可であると判定した場合（ステップＳ３８、ＮＯ）、上記判定部１１２は、上記制限情報確認部１２２により、上記ＩＣカード２のＳＦカード機能による精算処理の実行を制限する利用制限が設定されているか否かを判定する（ステップＳ４０）。
【００６５】
利用制限が設定されていないと判定した場合（ステップＳ４０、ＮＯ）、上記判定部１１２は、上記精算額算出部１２３によりＳＦカード機能で出場するために必要な精算額を算出する処理を行なう。上記精算額算出部１２３により精算額が算出されると、上記判定部１１２は、読み取った全てのＩＣカード２の残額情報の和に基づく精算処理が可能であるか否かを判定する（ステップＳ４１）。即ち、上記判定部１１２は、読み取った全てのＩＣカード２の残額情報の金額の和が上記精算額算出部１２３により算出した精算額未満であるか否かを判定する。
【００６６】
精算処理が可能であると判定した場合（ステップＳ４１、ＹＥＳ）、上記改札機１の制御部１１は、上記書換処理部１１３により上記ＩＣカード２の残額情報の金額を元の金額から精算額を差し引いた金額に書き換え、当該利用者の出場を許可する精算処理を行なう（ステップＳ４２）。
【００６７】
また、ステップＳ４０において、利用制限が設定されていると判定した場合（ステップＳ４０、ＹＥＳ）、若しくは、ステップＳ４１において、精算処理が不可能であると判定した場合（ステップＳ４１、ＮＯ）、上記判定部１１２は、当該利用者の通行を不可と判定する（ステップＳ４３）。このような上記判定部１１２による判定結果に応じて、上記制御部１１は、上記ＩＣカード２を提示した利用者の出場を不可とする処理を行なう。この場合、上記制御部１１は、当該利用者の通過を妨げるために、上記改札機１の通行制御部１８によりドア（図示しない）を閉鎖する。この際、上記制御部１１は、通行が不可であること示す案内と、その理由とを上記表示部１９に表示する。
【００６８】
上述したように、本発明の一実施形態によると、複数のＩＣカードに対して改札処理を行なう際、改札機は、まず、最初にアクセスしたＩＣカードに記憶されている制限情報を読み取り、読み取った制限情報によって制限されている区間及び期間に現状態が当てはまるか否か判定する。この判定で当てはまると判定した場合、改札機は、読み取った上記１枚目のＩＣカードに対して精算処理を行なわずに、上記送受信可能エリア内に存在する他のＩＣカードを読み取る。改札機は、このＩＣカードに対して同様に改札処理を行なう。
【００６９】
これにより、例えば、利用者がＩＣ定期券とＩＣＳＦカードの２枚を所有している場合、ＩＣ定期券が有効な定期券情報を有しているにも係らず、改札機がＩＣＳＦカードに対して精算処理を行ってしまうということを防ぐことができる。この結果として、意図しない運賃支払を防ぐことができる改札機、改札方法、及び券処理機を提供することができる。
【００７０】
なお、本実施形態では、読み取る全てのＩＣカード２に対して制限情報の確認を行なうように構成しているが、上記送受信可能エリア１７内にまだ読み取っていないＩＣカードが存在するか否か判定し、読み取っていないＩＣカードが存在しない場合、制限情報を無視し改札処理を行なうようにしてもよい。
【００７１】
図８は、図２に示す改札機１において実行される改札処理の他の例を説明するフローチャートである。なお、ステップＳ５１乃至ステップＳ５７は、図７に示すステップＳ３１乃至ステップＳ３７と同様の動作であるので、説明を省略する。
【００７２】
ステップＳ５２において、上記送受信可能エリア１７内に他にまだ読み取っていないＩＣカードが存在しないと判定した場合（ステップＳ５２、ＮＯ）、上記制御部１１は、上記定期券情報確認部１２１により定期券情報による出場が可能か否かを判定する（ステップＳ５８）。定期券情報による出場が可能であると判定した場合（ステップＳ５８、ＹＥＳ）、上記判定部１１２は、上記ＩＣカード２の定期券情報により当該利用者の通行を許可する定期券処理を行なう（ステップＳ５９）。
【００７３】
上記ステップＳ５８において、定期券情報による出場が不可であると判定した場合（ステップＳ５８、ＮＯ）、上記判定部１１２は、上記精算額算出部１２３によりＳＦカード機能で出場するために必要な精算額を算出する処理を行なう。上記精算額算出部１２３により精算額が算出されると、上記判定部１１２は、読み取った全てのＩＣカード２の残額情報の和に基づく精算処理が可能であるか否かを判定する（ステップＳ６０）。即ち、上記判定部１１２は、読み取った全てのＩＣカード２の残額情報の金額の和が上記精算額算出部１２３により算出した精算額未満であるか否かを判定する。
【００７４】
精算処理が可能であると判定した場合（ステップＳ６０、ＹＥＳ）、上記改札機１の制御部１１は、上記書換処理部１１３により上記ＩＣカード２の残額情報の金額を元の金額から精算額を差し引いた金額に書き換え、当該利用者の出場を許可する精算処理を行なう（ステップＳ６１）。
【００７５】
また、ステップＳ６０において、精算処理が不可能であると判定した場合（ステップＳ６０、ＮＯ）、上記判定部１１２は、当該利用者の通行を不可と判定する（ステップＳ６２）。このような上記判定部１１２による判定結果に応じて、上記制御部１１は、上記ＩＣカード２を提示した利用者の出場を不可とする処理を行なう。この場合、上記制御部１１は、当該利用者の通過を妨げるために、上記改札機１の通行制御部１８によりドア（図示しない）を閉鎖する。この際、上記制御部１１は、通行が不可であること示す案内と、その理由とを上記表示部１９に表示する。
【００７６】
上述したように、本発明の他の実施形態によると、ＩＣカードに対して改札処理を行なう際、改札機は、読み取ったＩＣカード以外にまだ読み取っていないＩＣカードが存在するか否か判定する。読み取ったＩＣカード以外にまだ読み取っていないＩＣカードが存在しないと判定した場合、読み取ったＩＣカードの制限情報に係らず、精算処理を行なう。これにより、例えば、利用者が制限情報を書き込んだＩＣＳＦカードのみを所有している場合でも、制限情報により改札処理を受けられないということを防ぐことができる。
【００７７】
なお、この発明は、上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に、異なる実施形態に亘る構成要素を適宜組み合わせてもよい。
【００７８】
本実施形態では携帯可能電子端末は定期券情報、ＳＦデータなどを記憶したＩＣカードとして説明した。しかし、携帯可能電子端末は、これに限らず、例えば乗車券しての機能を有する携帯電話など、情報を記憶する為のメモリと、改札機との通信手段とを有するものであれば、本発明は適用され得る。
【図面の簡単な説明】
【００７９】
【図１】一実施形態に係る種々の駅務機器から構成される駅務システムの構成例を示す図。
【図２】図１に示す改札機の構成を概略的に示すブロック図。
【図３】図１に示す券売機の構成を概略的に示すブロック図。
【図４】図３に示す券売機において実行される制限情報の設定処理を説明するフローチャート。
【図５】図１に示すＩＣカードの内部メモリのデータフォーマットを説明する為の説明図。
【図６】図１に示すＩＣカードの内部メモリのデータフォーマットを説明する為の説明図。
【図７】図２に示す改札機において実行される改札処理を説明するフローチャート。
【図８】図２に示す改札機において実行される他の実施形態に係る改札処理を説明するフローチャート
【符号の説明】
【００８０】
１…改札機、２…ＩＣカード、３…ホストコンピュータ、４…券売機、５…精算機、１１…制御部、１３…メモリ、１５…ＩＣカード処理部、１６…送受信部、１７…送受信可能エリア、１８…通行制御部、１９…表示部、４１…制御部、４２…制限情報設定部、４４…ＩＣリーダライタ、４５…送受信部、４８…メモリ、４９…表示部、５０…操作部、１１１…読取処理部、１１２…判定部、１１３…書換処理部、１２１…定期券情報確認部、１２２…制限情報確認部、１２３…精算額算出部。
【図１】
2008197846.tif 000003
【図２】
2008197846.tif 000004
【図３】
2008197846.tif 000005
【図４】
2008197846.tif 000006
【図５】
2008197846.tif 000007
【図６】
2008197846.tif 000008
【図７】
2008197846.tif 000009
【図８】
2008197846.tif 000010